(57)【要約】【課題】  弁口内壁に付着した異物を自動的に掃除できると共に逆流防止機能を備えたフロート式ドレントラップを提供する【解決手段】  本体１と蓋２で弁ケーシングを形成し、弁ケーシングに入口５と弁室４と出口７を形成する。弁室４の下部に弁座部材８を取り付け、弁座部材８に弁室４を出口７側に連通する弁口１１を形成する。弁室４内に弁座部材８に離着座して弁口１１を開閉するフロート１７を配置する。受圧壁部１４を有する操作部材１３を弁口１１内に配置し、操作部材１３を弁室４方向に付勢して前進せしめるスプリング１５を設ける。弁口１１を通過する排出ドレンが受圧壁部１４に衝突することにより操作部材１３が後退せしめられる。操作部材１３が前進せしめられたときに受圧壁部１４が当接して弁口１１を閉じる逆止弁座部１６を弁座部材８に形成する。【選択図】      図１
2007247789.tif 000002
【特許請求の範囲】
【請求項１】
弁ケーシングで入口と弁室と出口を形成し、弁室の下部に弁座部材を取り付け、弁座部材に弁室を出口側に連通する弁口を形成し、弁室内に弁座部材に離着座して弁口を開閉するフロートを配置し、受圧壁部を有する操作部材を弁口内に配置し、操作部材を弁室方向に付勢して前進せしめるスプリングを設け、弁口を通過する排出ドレンが受圧壁部に衝突することにより操作部材が後退せしめられるものにおいて、操作部材が前進せしめられたときに受圧壁部が当接して弁口を閉じる逆止弁座部を弁座部材に形成したことを特徴とするフロート式ドレントラップ。
【発明の詳細な説明】
【技術分野】
【０００１】
本発明は、蒸気や圧縮空気やガス配管系に発生するドレンをフロートの浮上降下により弁口を開閉して排出するフロート式ドレントラップに関し、特に弁口内壁に付着した鉄粉やスケール等の異物を取除くことのできるものに関する。
【背景技術】
【０００２】
従来のフロート式ドレントラップは、弁ケーシングで入口と弁室と出口を形成し、弁室の下部に弁座部材を取り付け、弁座部材に弁室を出口側に連通する弁口を形成し、弁室内に弁座部材に離着座して弁口を開閉するフロートを配置し、受圧壁部を有する操作部材を弁口内に配置し、操作部材を弁室方向に付勢して前進せしめるスプリングを設け、弁口を通過する排出ドレンが受圧壁部に衝突することにより操作部材が後退せしめられるものである。
【０００３】
上記従来のフロート式ドレントラップは、フロートが弁口を開けると弁口から出口に排出されるドレンにより操作部材が後退せしめられ、フロートが弁口を閉じるとスプリングにより操作部材が前進せしめられるので、開閉弁の都度操作部材が弁口内を自動的に変位して弁口内壁に付着した異物を掃除できるものである。しかしながら、出口側の流体圧力が入口側よりも高くなると、出口側の流体が逆流して一次側の蒸気使用機器に到達し、蒸気使用機器の熱効率を低下させる問題点があった。また出口側でのウォータ・ハンマによる衝撃的な逆流が生じた場合には、蒸気使用機器を破損させる問題点があった。
【特許文献１】実公平５−１９６７９号公報
【発明の開示】
【発明が解決しようとする課題】
【０００４】
解決しようとする課題は、弁口内壁に付着した異物を自動的に掃除できると共に逆流防止機能を備えたフロート式ドレントラップを提供することである。
【課題を解決するための手段】
【０００５】
本発明は、弁ケーシングで入口と弁室と出口を形成し、弁室の下部に弁座部材を取り付け、弁座部材に弁室を出口側に連通する弁口を形成し、弁室内に弁座部材に離着座して弁口を開閉するフロートを配置し、受圧壁部を有する操作部材を弁口内に配置し、操作部材を弁室方向に付勢して前進せしめるスプリングを設け、弁口を通過する排出ドレンが受圧壁部に衝突することにより操作部材が後退せしめられるものにおいて、操作部材が前進せしめられたときに受圧壁部が当接して弁口を閉じる逆止弁座部を弁座部材に形成したことを特徴とする。
【発明の効果】
【０００６】
本発明は、出口側の流体圧力が入口側よりも高くなるとスプリングにより操作部材が前進せしめられて、受圧壁部が逆止弁座部に当接して弁口を閉じるので、出口側から入口側への逆流を防止できるという優れた効果を生じる。
【発明を実施するための最良の形態】
【０００７】
本発明のフロート式ドレントラップは、上記従来のものと同様に、フロートが弁口を開けると弁口から出口に排出されるドレンにより操作部材が後退せしめられ、フロートが弁口を閉じるとスプリングにより操作部材が前進せしめられるので、開閉弁の都度操作部材が弁口内を自動的に変位して弁口内壁に付着した異物を掃除できる。そして、本発明のフロート式ドレントラップは、操作部材が前進せしめられたときに受圧壁部が当接して弁口を閉じる逆止弁座部を弁座部材に形成したものであるので、出口側の流体圧力が入口側よりも高くなるとスプリングにより操作部材が前進せしめられて、受圧壁部が逆止弁座部に当接して弁口を閉じる。そのため、出口側から入口側への逆流を防止できる。
【実施例１】
【０００８】
上記の技術的手段の具体例を示す実施例を説明する（図１参照）。本体１に蓋２を図示しないボルトで締結して弁ケーシング形成し、内部に弁室４を形成する。弁室４の上部に入口５を開口させる。入口５と弁室４の間に多数の小孔を開けた異物捕捉用の円筒形状のスクリーン６を配置する。入口５と同一軸上に出口７を形成する。本体１の下部に弁座部材８を配置しプラグ９で保持する。弁座部材８に弁室４を出口通路１０を介して出口７に連通する弁口１１と通孔１２を形成する。
【０００９】
弁口１１内に操作部材１３を配置する。操作部材１３のプラグ９側に大径のフランジ状に形成した受圧壁部１４を設け、弁口１１を通過する排出ドレンが受圧壁部１４に衝突することにより操作部材１３がプラグ９側に後退せしめられるようにする。操作部材１３の受圧壁部１４とプラグ９の間に操作部材１３を弁室４方向に付勢して前進せしめるスプリング１５を設ける。弁座部材８の内壁に操作部材１３が前進せしめられたときに受圧壁部１４が当接する逆止弁座部１６を形成する。操作部材１３は前進せしめられたときに受圧壁部１４が逆止弁座部１６に当接して弁口１１を閉じる。弁室４内に弁座部材８に離着座して弁口１１を開閉する中空球形のフロート１７を自由状態で配置する。
【００１０】
入口５から流入したドレンは弁室４内に溜り、液面に応じてフロート１７が浮上降下して弁座部材８に離着座して弁口１１を開閉する。フロート１７の浮上により弁口１１が開口されると、弁口１１を通過する排出ドレンが操作部材１３の受圧壁部１４に衝突し、スプリング１５を圧縮して操作部材１３をプラグ９方向に後退せしめ、弁室４内のドレンが弁口１１、通孔１２から出口通路１０を通して出口７に排出される。フロート１７の降下により弁口１１が閉口されると、スプリング１５の付勢力により操作部材１３が前進せしめられ、弁口１１内壁に付着した異物が掃除され、弁室４内の蒸気や圧縮空気やガスの漏出が防止される。出口７側の流体圧力が入口５側よりも高くなるとスプリング１５の付勢力により操作部材１３が前進せしめられ、受圧壁部１４が逆止弁座部１６に当接して弁口１１を閉じる。
【図面の簡単な説明】
【００１１】
【図１】本発明のフロート式ドレントラップの断面図。
【符号の説明】
【００１２】
１  本体
２  蓋
４  弁室
５  入口
７  出口
８  弁座部材
１１  弁口
１３  操作部材
１４  受圧壁部
１５  スプリング
１６  逆止弁座部
１７  フロート
【図１】
2007247789.tif 000003